(57)【要約】【課題】トナー容器内のトナー残量をより正確に把握することができる画像形成装置およびトナー残量管理方法を提供する。【解決手段】ドットカウント演算部６０１は、印字されるドットの計数値に基づいて現像器２０５において消費されたトナー量を算出する。トナー補給量演算部６０２は、トナー補給機構３０２が補給したトナー量を算出する。補正トナー補給量算出部６０４は、ドットカウント演算部６０１が算出したトナー消費量と、トナー補給量演算部６０２が算出したトナー補給量とに基づいて補正トナー補給量を算出する。累積トナー補給量更新部６０５は、補正トナー補給量算出部６０４が算出した補正トナー補給量と累積トナー補給量保持部６０３に保持された累積トナー補給量とを加算することにより算出される値を、新たな累積トナー補給量として累積トナー補給量保持部６０３に格納する。【選択図】図６
2014098791.tif 000002
【特許請求の範囲】
【請求項１】
トナーを収容するトナー容器と、
像担持体上に形成された静電潜像にトナーを付着させ、像担持体上にトナー像を形成する現像器と、
前記現像器内のトナー量を検知するトナーセンサと、
前記トナーセンサの出力値に基づいて前記トナー容器に収容されたトナーを前記現像器に補給するトナー補給機構と、
画像データに基づいて被転写体に印字されるドットを計数し、当該計数値に基づいて前記現像器において消費されたトナー量を算出するドットカウント演算部と、
前記トナー補給機構が前記トナー容器から前記現像器に補給したトナー量を算出するトナー補給量演算部と、
前記トナー容器内のトナーの使用を開始した時点からのトナーの累積補給量を保持する累積トナー補給量保持部と、
前記ドットカウント演算部が算出したトナー消費量と、前記トナー補給量演算部が算出したトナー補給量とに基づいて、前記トナー容器内のトナー使用量である補正トナー補給量を算出する補正トナー補給量算出部と、
前記補正トナー補給量算出部が算出した補正トナー補給量と前記累積トナー補給量保持部に保持された累積トナー補給量とを加算することにより算出される値を、新たな累積トナー補給量として前記累積トナー補給量保持部に格納する累積トナー補給量更新部と、
を備える画像形成装置。
【請求項２】
前記補正トナー補給量算出部は、同一期間において前記ドットカウント演算部が算出したトナー消費量および前記トナー補給量演算部が算出したトナー補給量と、当該期間に前記累積トナー補給量保持部に保持された累積トナー補給量から算出される前記トナー容器内のトナー残量とに基づいて、当該期間における補正トナー補給量を算出する、請求項１記載の画像形成装置。
【請求項３】
前記トナー補給量演算部は、前記期間内における前記トナー補給機構の動作量および前記トナーセンサの出力値に基づいて前記トナー補給機構が前記トナー容器から前記現像器に補給したトナー量を算出する、請求項２記載の画像形成装置。
【請求項４】
前記補正トナー補給量算出部は、前記ドットカウント演算部が算出したトナー消費量Ｃｄｏｔ、前記トナー補給量演算部が算出したトナー補給量Ｓｃａｌおよび当該トナー補給量Ｓｃａｌが補正トナー補給量に与える影響の程度を、前記トナー残量に応じて変更する可変係数Ａ（０＜Ａ≦１）を用いて、補正トナー補給量Ｓｃｏｒを、Ｓｃｏｒ＝Ｃｄｏｔ−（Ｃｄｏｔ−Ｓｃａｌ）×Ａにより算出する、請求項３記載の画像形成装置。
【請求項５】
前記トナー補給量演算部は、前記累積トナー補給量保持部が保持する累積トナー補給量Ｓａｃｃ、前記トナー残量に応じて変更する可変係数Ｂ（０＜Ｂ≦１）、トナーセンサによるトナー補給の補正値Ｘを用いて、トナー補給量Ｓｃａｌを、Ｓｃａｌ＝Ｓａｃｃ×Ｂ＋Ｘにより算出する、請求項４記載の画像形成装置。
【請求項６】
トナーを収容するトナー容器と、像担持体上に形成された静電潜像にトナーを付着させ、像担持体上にトナー像を形成する現像器と、前記現像器内のトナー量を検知するトナーセンサと、前記トナーセンサの出力値に基づいて前記トナー容器に収容されたトナーを前記現像器に補給するトナー補給機構とを備える画像形成装置に適用されるトナー残量管理方法であって、
画像データに基づいて被転写体に印字されるドットを計数し、当該計数値に基づいて前記現像器において消費されたトナー量を算出するステップと、
前記トナー補給機構が前記トナー容器から前記現像器に補給したトナー量を算出するステップと、
前記算出されたトナー消費量と、前記算出されたトナー補給量とに基づいて前記トナー容器内のトナー使用量である補正トナー補給量を算出するステップと、
前記算出された補正トナー補給量と、その時点で保持されている前記トナー容器内のトナーの使用を開始した時点からのトナーの累積補給量とを加算することにより算出される値を、新たな累積トナー補給量として保持するステップと、
を有する、トナー残量管理方法。
【発明の詳細な説明】
【技術分野】
【０００１】
本発明は、画像形成用のトナーの残量を管理する機能を備える画像形成装置およびトナー残量管理方法に関する。
【背景技術】
【０００２】
近年、複写機や複合機等の画像形成装置ではカラー印刷可能な機器が一般化している。この種の画像形成装置は、例えば、Ｃ（シアン）、Ｍ（マゼンタ）、Ｙ（イエロー）、Ｋ（ブラック）からなる４色のトナー等の記録剤を組み合わせることによりカラー印刷を実現する。このような画像形成装置の多くは、各記録剤の残量を管理し、記録剤が残りわずかであり、まもなく画像形成が不可能になる状態（いわゆるニアエンプティ状態）を、ユーザに報知する機能を有している。当該報知は、画面表示やブザー等により装置を直接操作するユーザに対してなされる。加えて、予め指定された特定の送信先への電子メール送信等により、装置を直接操作していない装置管理者等に対してなされることもある。
【０００３】
従来、このような記録剤の残量管理における記録剤消費量の算出には、ドットカウント方式が多用されている。ドットカウント方式は、印刷対象として画像形成装置に入力される画像データに基づいて用紙等の被転写体に印字されるドットの数を計数する。そして、当該計数値に１ドットの印字で消費される記録剤の量が乗算され、記録剤消費量が算出される。なお、印字が多階調（例えば、２５６階調）で実施される画像形成装置では、例えば、予め指定された閾値を超える階調を有する印字がドットとして計数される。
【０００４】
以上のような記録剤の残量管理では、画像形成装置の生産性を低下させることなく、また、適切な記録剤の補充（交換）を実行できるように、記録剤残量を正確に把握できることが要求されている。しかしながら、上述のドットカウント方式では、多階調の印字であっても２値化されて計数されるため、ドットとして計数されていない印字でも記録剤が使用される状況や、ドットとして計数された印字でも上記１ドットの印字で消費される記録剤よりも少ない記録剤しか使用されていない状況が発生する。
【０００５】
この対策として、例えば、後掲の特許文献１は、ドットカウントと、感光体ドラムに形成された電子潜像にトナーを付着させてトナー像を形成する現像器が備える現像ローラの駆動時間とに基づいて、トナーカートリッジの寿命管理（トナーの残量管理）をする構成を開示している。また、印字のパターンに応じて、閾値以上のドット、４連続ドット、孤立ドットに区分して計数を行い、これら計数値に基づいてトナー消費量を算出することも開示している。
【先行技術文献】
【特許文献】
【０００６】
【特許文献１】特開２００４−３４７９３１号公報
【発明の概要】
【発明が解決しようとする課題】
【０００７】
しかしながら、ドットカウント方式の残量管理では、上述のように印刷対象の画像データ中に階調を有する部分（画素）が存在する場合、当該画像データについてトナー消費量を正確に把握することは困難である。特許文献１が開示するように、計数対象を複数に区分して区分ごとに計数する手法を採用することで、印字により消費されているトナー量の精度向上は望めることになる。しかしながら、精度向上のために区分数を多くすると計数処理が煩雑になって多くの処理時間が必要になる上、各区分の計数値を記憶するための多くの記憶領域が必要になる。
【０００８】
一方、トナー容器から現像器へのトナー補給は、機械的なトナー補給機構の動作により実現される。しかしながら、当該トナー補給機構が同一の動作を行ったとしても、トナー容器に多量のトナーが収容されている段階とトナーが消費されてトナー容器内に少量のトナーが収容されている段階とではトナー補給量が異なる結果となる。トナー補給機構は現像器内のトナー量の減少が検知されたときに作動するため、仮に、現像器において消費されたトナー消費量が同一であっても、トナー容器内のトナーの残量が異なれば、トナー容器におけるトナー減少量、すなわち、トナー容器から現像器へのトナー補給量が異なることになる。また、トナー補給機構は高コスト化を避ける観点から、比較的簡易な構成であることが通常であり、トナー補給機構が同一の動作を行った場合のトナー補給量の再現精度は高くない。そのため、トナー容器内のトナーの残量が同等であったとしても、トナー補給機構の動作の都度、トナー補給量が異なることも多い。
【０００９】
このように、印字により消費されるトナー量はトナー容器から現像器へのトナー補給量と完全に一致するものではないため、印字により消費されるトナー量から、トナー容器内のトナー残量を正確に算出することはできない。つまり、印字により消費されるトナー量の算出精度を向上させても、トナー容器内のトナー残量の算出精度を向上させることはできない。また、上述の理由から、トナー補給機構の動作のみに基づいて、トナー容器内のトナー残量を正確に把握することも困難である。
【００１０】
本発明は、このような従来技術の課題を鑑みてなされたものであって、トナー容器内のトナー残量をより正確に把握することができる画像形成装置およびトナー残量管理方法を提供することを目的とする。
【課題を解決するための手段】
【００１１】
上述の目的を達成するために、本発明に係る画像形成装置は以下の技術的手段を採用している。すなわち、本発明に係る画像形成装置は、トナー容器、現像器、トナーセンサ、トナー補給機構、ドットカウント演算部、トナー補給量演算部、累積トナー補給量保持部、補正トナー補給量算出部および累積トナー補給量更新部を備える。トナー容器は、現像器に補給するトナーを収容する。現像器は、感光体ドラム等の像担持体上に形成された静電潜像にトナーを付着させ、像担持体上にトナー像を形成する。トナーセンサは、現像器内のトナー量を検知する。トナー補給機構は、トナーセンサの出力値に基づいてトナー容器に収容されたトナーを現像器に補給する。ドットカウント演算部は、画像データに基づいて被転写体に印字されるドットを計数し、当該計数値に基づいて現像器において消費されたトナー量を算出する。トナー補給量演算部は、トナー補給機構がトナー容器から現像器に補給したトナー量を算出する。累積トナー補給量保持部は、トナー容器内のトナーの使用を開始した時点からのトナーの累積補給量を保持する。補正トナー補給量算出部は、ドットカウント演算部が算出したトナー消費量と、トナー補給量演算部が算出したトナー補給量とに基づいて、トナー容器内のトナー使用量である補正トナー補給量を算出する。累積トナー補給量更新部は、補正トナー補給量算出部が算出した補正トナー補給量と累積トナー補給量保持部に保持された累積トナー補給量とを加算することにより算出される値を、新たな累積トナー補給量として累積トナー補給量保持部に格納する。
【００１２】
この画像形成装置は、ドットカウント方式により算出したトナー消費量と、別途算出したトナー容器から現像器に補給されたトナー量とに基づいて、トナー容器内のトナー使用量（補正トナー補給量）を算出する構成であるため、トナー容器内のトナー残量を従来に比べてより正確に把握することができる。また、本構成は、トナー容器等に新たなセンサを設置する必要がないため、ドットカウント方式でトナー消費量を算出する既存の複合機に対して、例えば、ソフトウェアの変更等により、容易かつ低コストで実現することができる。
【００１３】
上記画像形成装置において、補正トナー補給量算出部は、同一期間においてドットカウント演算部が算出したトナー消費量およびトナー補給量演算部が算出したトナー補給量と、当該期間に累積トナー補給量保持部に保持された累積トナー補給量から算出されるトナー容器内のトナー残量とに基づいて、当該期間における補正トナー補給量を算出する構成を採用することができる。この構成では、トナー容器から現像器に補給されるトナー量にトナー容器内のトナー残量依存性を反映させることができ、トナー容器内のトナー残量をより正確に把握することができる。
【００１４】
また、トナー補給量演算部は、上記期間内におけるトナー補給機構の動作量およびトナーセンサの出力値に基づいてトナー補給機構がトナー容器から現像器に補給したトナー量を算出する構成を採用することができる。この構成では、トナー補給機構の動作により現像器内に補給されたトナー量をより正確に算出することができる。
【００１５】
さらに、補正トナー補給量算出部は、ドットカウント演算部が算出したトナー消費量Ｃｄｏｔ、トナー補給量演算部が算出したトナー補給量Ｓｃａｌおよび当該トナー補給量Ｓｃａｌが補正トナー補正量に与える影響の程度を、上記トナー残量に応じて変更する可変係数Ａ（０＜Ａ≦１）を用いて、補正トナー補給量Ｓｃｏｒを、Ｓｃｏｒ＝Ｃｄｏｔ−（Ｃｄｏｔ−Ｓｃａｌ）×Ａにより算出する構成を採用することができる。また、トナー補給量Ｓｃａｌは、累積トナー補給量保持部が保持する累積トナー補給量Ｓａｃｃ、トナー残量に応じて変更する可変係数Ｂ（０＜Ｂ≦１）、トナーセンサによるトナー補給の補正値Ｘを用いて、Ｓｃａｌ＝Ｓａｃｃ×Ｂ＋Ｘによりトナー補給量演算部が算出する構成を採用することができる。この構成では、トナー容器内のトナー残量に応じて、トナー補給量演算部が算出したトナー補給量が補正トナー補給量の算出に与える影響の程度を変更することができ、トナー容器内のトナー残量を従来に比べてより正確に把握することができる。
【００１６】
一方、他の観点では、本発明は、上述のトナー容器、現像器、トナーセンサおよびトナー補給機構を備える画像形成装置に適用されるトナー残量管理方法を提供することもできる。
【発明の効果】
【００１７】
本発明によれば、トナー容器内のトナー残量を従来に比べてより正確に把握することができる。その結果、ユーザは、トナー資源を有効に利用することができるとともに、画像形成装置の生産性を低下させることなく、適切な時期にトナー容器の交換を実行できる。
【図面の簡単な説明】
【００１８】
【図１】本発明の一実施形態における複合機の全体構成を示す概略構成図
【図２】本発明の一実施形態における複合機の画像形成部の構成を示す概略構成図
【図３】本発明の一実施形態における複合機のトナーコンテナの構成を示す概略構成図
【図４】本発明の一実施形態における複合機の現像器の構成を示す概略構成図
【図５】本発明の一実施形態における複合機のハードウェア構成を示す図
【図６】本発明の一実施形態における複合機を示す機能ブロック図
【図７】本発明の一実施形態における複合機が実施する補正トナー補給量算出手順の一例を示すフロー図
【図８】本発明の一実施形態における複合機が実施するトナー補給量算出手順の一例を示すフロー図
【図９】本発明の一実施形態における複合機のトナー補給量演算部が保持する係数テーブルの一例を示す図
【図１０】本発明の一実施形態における複合機のトナー補給機構のトナーセンサ出力値と回転数とトナー補給量との関係を示す図
【図１１】本発明の一実施形態における複合機の補正トナー補給量算出部が保持する係数テーブルの一例を示す図
【発明を実施するための形態】
【００１９】
以下、本発明の実施形態について、図面を参照しながらより詳細に説明する。以下では、トナー残量管理機能を備えるデジタル複合機として本発明を具体化する。
【００２０】
図１は本実施形態におけるデジタル複合機の全体構成の一例を示す概略構成図である。図１に示すように、複合機１００は、画像読取部１２０および画像形成部１４０を含む本体１０１と、本体１０１の上方に取り付けられたプラテンカバー１０２とを備える。本体１０１の上面にはコンタクトガラス等の透明板からなる原稿台１０３が設けられており、原稿台１０３はプラテンカバー１０２によって開閉されるようになっている。また、プラテンカバー１０２は、原稿搬送装置１１０を備えている。なお、複合機１００の前面には、ユーザが複合機１００に複写開始やその他の指示を与えたり、複合機１００の状態や設定を確認したりすることができる操作パネル１６１が設けられている。
【００２１】
原稿台１０３の下方には、画像読取部１２０が設けられている。画像読取部１２０は、走査光学系１２１により原稿の画像を読み取りその画像のデジタルデータ（画像データ）を生成する。原稿は、原稿台１０３や原稿搬送装置１１０に載置することができる。走査光学系１２１は、第１キャリッジ１２２や第２キャリッジ１２３、集光レンズ１２４を備える。第１キャリッジ１２２には線状の光源１３１およびミラー１３２が設けられ、第２キャリッジ１２３にはミラー１３３および１３４が設けられている。光源１３１は原稿を照明する。ミラー１３２、１３３、１３４は、原稿からの反射光を集光レンズ１２４に導き、集光レンズ１２４はその光像をラインイメージセンサ１２５の受光面に結像する。この走査光学系１２１において、第１キャリッジ１２２および第２キャリッジ１２３は、副走査方向１３５に往復動可能に設けられている。第１キャリッジ１２２および第２キャリッジ１２３を副走査方向１３５に移動することによって、原稿台１０３に載置された原稿の画像をイメージセンサ１２５で読み取ることができる。原稿搬送装置１１０にセットされた原稿の画像を読み取る場合、画像読取部１２０は、第１キャリッジ１２２および第２キャリッジ１２３を画像読取位置に合わせて一時的に固定し、画像読取位置を通過する原稿の画像をイメージセンサ１２５で読み取る。イメージセンサ１２５は、受光面に入射した光像から、例えば、Ｒ（レッド）、Ｇ（グリーン）、Ｂ（ブルー）の各色に対応する画像データを生成する。生成された画像データは、画像形成部１４０において用紙に印刷することができる。また、図示しないネットワークインタフェイスによりネットワークを通じて他の機器（図示せず）へ送信することもできる。
【００２２】
画像形成部１４０は、画像読取部１２０で得た画像データや、ネットワーク等に接続された他の機器（図示せず）からネットワークインタフェイスを介して受信した画像データを用紙に印刷する。
【００２３】
図２は画像形成部１４０の構成の一例を示す概略構成図である。画像形成部１４０は、いわゆるタンデム方式である。図２に示すように、画像形成部１４０は、無端状の転写ベルト２１０と転写ベルト２１０に沿って並列に配置されたＣＭＹＫ各色のトナー像を別個に形成する画像形成ユニット２０１Ｃ、２０１Ｍ、２０１Ｙ、２０１Ｋを備える。転写ベルト２１０は駆動ローラ２１１と従動ローラ２１２、２１３に巻回されている。従動ローラ２１３は、転写ベルト２１０の内側から外側へ付勢されており、転写ベルト２１０に張力を付与している。転写ベルト２１０は、駆動ローラ２１１の駆動により矢印２１４方向に回転する。
【００２４】
各画像形成ユニット２０１Ｃ、２０１Ｍ、２０１Ｙ、２０１Ｋは、像担持体である感光体ドラム２０２を備える。感光体ドラム２０２は一定速度で一方向に回転する。感光体ドラム２０２の周囲には、回転方向の上流側から順に、帯電器２０３、露光器２０４、現像器２０５、転写ローラ２０６、クリーニング器２０７等が配置されている。帯電器２０３は、感光体ドラム２０２表面（像担持面）を一様に帯電させる。露光器２０４は、一様に帯電した感光体ドラム２０２の表面に画像データに応じて光を照射し、感光体ドラム２０２上に静電潜像を形成する。現像器２０５は、その静電潜像にトナーを付着させ、感光体ドラム２０２上にトナー像を形成する。当該トナー像は、転写ローラ２０６と感光体ドラム２０２との間の一次転写部２０８おいて搬送ベルト２１０に転写される。クリーニング器２０７は転写ローラ２０６による転写後に感光体ドラム２０２の表面に残っているトナーを剥ぎとる。
【００２５】
本実施形態では、露光光が照射された感光体ドラム２０２の表面の帯電が消失する構成になっている。トナーには、感光体ドラム２０２の帯電極性と同極性の電荷が付与されており、感光体ドラム２０２において露光光が照射されない非露光領域にはトナーが付着せず、露光光が照射された露光領域にトナーが付着する。転写ローラ２０６には、感光体ドラム２０２と逆極性（トナーと逆極性）の電圧が印加されており、露光領域に付着したトナーが転写ベルト２１０に転写される。
【００２６】
特に限定されないが、本実施形態では、各色の画像形成ユニットは、転写ベルト２１０の回転方向の上流側から、画像形成ユニット２０１Ｋ、２０１Ｙ、２０１Ｃ、２０１Ｍの順で配置されている。各画像形成ユニットは、この順で転写ベルト２１０上に各色のトナー像を転写する。各色のトナー像を転写するタイミングを制御することにより、各色のトナー像が転写ベルト２１０上で順次重ね合わされる。その結果、転写ベルト２１０上にはカラーのトナー像が形成される。なお、ＲＧＢ形式のカラー画像は、ＣＭＹＫ形式の画像データに変換され、各色の画像データが各画像形成ユニット２０１Ｃ、２０１Ｍ、２０１Ｙ、２０１Ｋの露光器２０４にそれぞれ入力される。
【００２７】
また、各色の画像形成ユニット２０１Ｃ、２０１Ｍ、２０１Ｙ、２０１Ｋは、それぞれの現像器２０５にトナーを補給するトナーコンテナ２３０Ｃ、２３０Ｍ、２３０Ｙ、２３０Ｋを備える。各トナーコンテナ２３０Ｃ、２３０Ｍ、２３０Ｙ、２３０Ｋは、対応する現像器２０５に対して着脱自在に取り付けられる。
【００２８】
図３は、トナーコンテナの構成を示す概略断面図である。なお、各トナーコンテナ２３０Ｃ、２３０Ｍ、２３０Ｙ、２３０Ｋは同様の構成を有しているため、ここでは色を限定することなく説明する。図３に示すように、トナーコンテナ２３０は、未使用のトナー３１０を収容貯留するトナー容器３０１、トナー搬送機構３０２、補給口３０３、シャッター部材３０４を備える。
【００２９】
補給口３０３はトナー容器３０１の底部の一端（例えば、図１に示す状態の複合機１００の奥側）に設けられ、後述する現像器２０５のトナー搬入部と対向する状態で配置されている。
【００３０】
シャッター部材３０４は、当該補給口３０３と現像器２０５のトナー搬入部との間に設けられ、補給口３０３の開放状態と閉鎖状態とを切り替える。開放状態はトナー容器３０１と現像器２０５とが連通する状態、すなわち、補給口３０３を通じてトナー容器３０１から現像器２０５へトナー３１０を供給可能な状態である。また、閉鎖状態はトナー容器３０１と現像器２０５とが分離された状態、すなわち、補給口３０３を通じてトナー容器３０１から現像器２０５へトナー３１０を供給不可能な状態である。
【００３１】
トナー搬送機構３０２は、トナー容器３０１に収容されたトナー３１０を現像器２０５に補給する。特に限定されないが、本実施形態では、トナー補給機構３０２は、トナー搬送部材３１１および駆動モータ３１２を備える。
【００３２】
トナー搬送部材３１１は、図３において紙面に垂直な方向に配置された回転軸３１３を有し、当該回転軸３１３の周りに軸方向に一定のピッチで螺旋状に形成されたスクリューにより構成されている。トナー搬送部材３１１は、補給口３０３と対向する位置に配置されている。駆動モータ３１２は、トナー搬送部材３１１を回転軸３１３周りに回転駆動する。駆動モータ３１２によりトナー搬送部材３１１が回転駆動されると、トナー３１０が補給口３０３に向かって搬送される。当該状態で、シャッター部材３０４を開放状態にすると、トナー容器３０１内のトナー３１０は補給口３０３を通じて現像器２０５に供給される。特に限定されないが、駆動モータ３１２は、ステッピングモータで構成されており、トナー搬送部材３１１の回転数を精度よく制御できるように構成されている。
【００３３】
また、図４は現像器２０５の構成を示す概略構成図である。なお、各色の画像形成ユニット２０１Ｋ、２０１Ｙ、２０１Ｃ、２０１Ｍが備える現像器２０５は同様の構成を有しているため、ここでは色を限定することなく説明する。図４（ａ）は、図２と同一方向から見た現像器２０５を示す概略構成図である。図４（ｂ）は、現像器２０５のトナー撹拌部を示す概略平面図である。
【００３４】
図４（ａ）に示すように、現像器２０５は、現像ローラ４０１、磁気ローラ４０２、撹拌スクリュー４０３、４０４、仕切壁４０５およびトナーセンサ４１０を備える。現像ローラ４０１、磁気ローラ４０２、撹拌スクリュー４０３、４０４は、それぞれ感光体ドラム２０２と平行な回転軸を有する。現像器２０５は、内部に、トナー（非磁性トナー）と磁性キャリアとからなる二成分現像剤を収容する。
【００３５】
図４（ｂ）に示すように、撹拌スクリュー４０３、４０４は、回転軸の周りに軸方向に一定のピッチで螺旋状に形成されたスクリューからなり、仕切壁４０５を介して互いに対向する状態で配置されている。撹拌スクリュー４０３、４０４および仕切壁４０５がトナー撹拌部４０６を構成している。撹拌スクリュー４０３、４０４を回転軸周りに回転させることで、現像器２０５内のトナーおよび磁性キャリアはトナー撹拌部４０６内を循環移動する。当該循環移動により、トナーと磁性キャリアとの間で衝突が発生し、当該衝突時の摩擦により、トナーに感光体ドラム２０２の帯電極性と同極性の電荷が付与される。なお、図４（ｂ）に示す例では、撹拌スクリュー４０４の回転によりトナーおよび磁性キャリアは右方向へ移動する。また、撹拌スクリュー４０３の回転によりトナーおよび磁性キャリアは左方向へ移動する。
【００３６】
図４（ｂ）に示すように、本実施形態では、上方が開口したトナー搬入部４０７が撹拌スクリュー４０４の一端に設けられている。トナー搬入部４０７は、トナーコンテナ２３０の補給口３０３と対向して配置されている。補給口３０３を通じてトナー搬入部４０７に搬入されたトナーは、撹拌スクリュー４０４の回転によりトナー撹拌部４０６に導入されて、トナー撹拌部４０６内を循環移動する。なお、撹拌スクリュー４０３、４０４は、現像器２０５が動作中（すなわち、印刷中）に所定の周期（例えば、１５０ｍｓ／１回転）で回転駆動される。
【００３７】
磁気ローラ４０２は、周方向に複数の磁極を有しており、その表面にトナーおよび磁性キャリアからなる磁気ブラシを形成する。当該磁気ローラ４０２と対向する状態で配置された現像ローラ４０１の表面には、磁気ローラ４０２表面に形成された磁気ブラシに摺擦されることでトナー薄層が形成される。現像ローラ４０１は、このトナー薄層によって感光体ドラム２０２表面の静電潜像を現像する。
【００３８】
トナーセンサ４１０は、現像器２０５（トナー撹拌部４０６）内のトナー量を検知する。本実施形態では、図４（ａ）、図４（ｂ）に示すように、撹拌スクリュー４０４側、かつ長手方向中央部のトナー撹拌部４０６側壁にトナーセンサ４１０が配置されている。トナーセンサ４１０としては、例えば、光学センサや圧電式のセンサ等を使用することができる。例えば、トナーセンサ４１０が透過型の光学センサである場合、トナーセンサ４１０は発光部および受光部を備える。発光部および受光部は、発光部から受光部へ至る光路が撹拌スクリュー４０４によるトナーの搬送経路を横切るように配置される。この構成では、受光部での受光量が多いほど（センサ出力値が大きいほど）トナー量が少なく、受光量が少ないほど（センサ出力値が小さいほど）トナー量が多いことを示すことになる。当該トナーセンサ４１０の出力値に基づいて、トナー補給機構３０２は、トナー容器３０１に収容されたトナー３１０を現像器２０５に補給する。
【００３９】
画像形成部１４０は、手差しトレイ１５１、給紙カセット１５２、１５３、１５４等（図１参照）から、搬送路２２０を通じて、転写ベルト２１０と二次転写ローラ２２２との間の二次転写部に用紙を給送する。手差しトレイ１５１や各給紙カセット１５２、１５３、１５４には、様々なサイズの用紙を載置または収容することができる。画像形成部１４０は、ユーザの指定した用紙や、自動検知した原稿のサイズに応じた用紙を選択し、選択した用紙を給送ローラにより手差しトレイ１５１やカセット１５２、１５３、１５４から給紙する。給紙された用紙は搬送ローラやレジストローラ２２１で二次転写部に搬送される。トナー像が転写された用紙は、定着器２２５に搬送される。定着器２２５は、ヒータを内蔵した定着ローラ２２３および加圧ローラ２２４を有しており、熱と押圧力によってトナー像を用紙に定着する。画像形成部１４０は、定着器２２５を通過した用紙を排紙トレイ１４１（図１参照）へ排紙する。二次転写後、転写ベルト２１０に残留したトナーは、二次転写部の下流側かつ画像形成ユニット２０１Ｋの上流側に配置されたクリーニング器２１５によって除去される。
【００４０】
図５は、複合機における制御系のハードウェア構成図である。本実施形態の複合機１００は、ＣＰＵ（Central Processing Unit）５０１、ＲＡＭ（Random Access Memory）５０２、ＲＯＭ（Read Only Memory）５０３、ＨＤＤ（Hard Disk Drive）５０４および原稿搬送装置１１０、画像読取部１２０、画像形成部１４０における各駆動部に対応するドライバ５０５が内部バス５０６を介して接続されている。ＲＯＭ５０３やＨＤＤ５０４等はプログラムを格納しており、ＣＰＵ５０１はその制御プログラムの指令にしたがって複合機１００を制御する。例えば、ＣＰＵ５０１はＲＡＭ５０２を作業領域として利用し、ドライバ５０５とデータや命令を授受することにより上記各駆動部の動作を制御する。また、ＨＤＤ５０４は、画像読取部１２０により得られた画像データや、他の機器からネットワーク等を通じて受信した画像データの蓄積にも用いられる。
【００４１】
内部バス５０６には、操作パネル１６１や各種のセンサ５０７も接続されている。操作パネル１６１は、ユーザの操作を受け付け、その操作に基づく信号をＣＰＵ５０１に供給する。また、操作パネル１６１は、ＣＰＵ５０１からの制御信号にしたがって自身が備えるディスプレイにユーザが指示を入力するための操作画面を表示する。また、センサ５０７は、プラテンカバー１０２の開閉検知センサや原稿台１０３上の原稿検知センサ、定着器２２５の温度センサ、搬送される用紙または原稿の検知センサなど各種のセンサを含む。ＣＰＵ５０１は、例えばＲＯＭ５０３に格納されたプログラムを実行することで、以下の各手段（機能ブロック）を実現するとともに、これらセンサからの信号に応じて各手段の動作を制御する。
【００４２】
図６は、本実施形態の複合機の機能ブロック図である。図６に示すように、本実施形態の複合機１００は、ドットカウント演算部６０１、トナー補給量演算部６０２、累積トナー補給量保持部６０３、補正トナー補給量算出部６０４および累積トナー補給量更新部６０５を備える。
【００４３】
ドットカウント演算部６０１は、画像データに基づいて被転写体に印字されるドットを計数し、当該計数値に基づいて現像器において消費されたトナー量を算出する。特に限定されないが、複合機１００では、各露光器２０４に入力される画像データは、露光用画像データ入力部６１１により生成される構成になっている。露光用画像データ入力部６１１は、例えば、ＲＧＢ形式の画像データをＣＭＹＫ形式のデータに変換し、各色の画像データを保持する。本実施形態では、ＲＡＭ５０２が露光用画像データ入力部６１１の画像データ保持領域として機能する。そして、露光用画像データ入力部６１１は、各色の画像データを各画像形成ユニット２０１Ｃ、２０１Ｍ、２０１Ｙ、２０１Ｋの露光器２０４それぞれに入力する。
【００４４】
ドットカウント演算部６０１は、露光用画像データ入力部６１１から各画像形成ユニット２０１Ｃ、２０１Ｍ、２０１Ｙ、２０１Ｋの露光器２０４に入力される画像データ（あるいは、露光用画像データ入力部６１１に保持されている画像データ）に基づいて被転写体に印字されるドットを計数する。画像データが多階調データである場合、このような計数は、公知のように、画像データ中で所定階調（例えば、０〜２５５の２５６階調であれば１２７〜２５５）となる画素を計数することで実現できる。ドットカウント演算部６０１は、予め指定された、１ドットの印字で消費されるトナーの量を当該計数値に乗算することで、トナー消費量を算出する。当該トナー消費量は各色について算出される。
【００４５】
なお、後述のように、ドットカウント演算部６０１は、予め指定された補正トナー補給量算出タイミングが到来するまで、算出したトナー消費量を累積して保持する。そして、補正トナー補給量算出タイミングが到来したときに、補正トナー補給量算出部６０４の指示に応じてその時点まで累積したトナー消費量をリセット（ゼロにする）する。特に限定されないが、本実施形態では、補正トナー補給量算出タイミングとして、１の印刷ジョブにおいて所定枚数（例えば、１０枚）の印刷完了したときと、当該１の印刷ジョブに含まれる全印刷が完了したときが設定されている。すなわち、印刷ジョブに含まれる用紙等の被転写体への印刷枚数が１０枚以下である場合、全印刷が完了したときが補正トナー補給量算出タイミングになる。また、印刷ジョブに含まれる印刷枚数が、例えば、２５枚である場合、１０枚目の印刷完了時、２０枚目の印刷完了時、全印刷の完了時がそれぞれ補正トナー補給量算出タイミングになる。
【００４６】
トナー補給量演算部６０２は、トナー補給機構３０２がトナー容器３０１から現像器２０５に補給したトナー量を算出する。上述のように、本実施形態では、トナー搬送機構３０２はトナー搬送部材３１１および駆動モータ３１２を備え、トナー搬送部材３１１の回転数は駆動モータ３１２により厳密に制御されている。この構成では、駆動モータ３１２に入力される駆動パルス数を計数することで、トナー搬送部材３１１の回転数を把握することができる。トナー補給量演算部６０２は、当該駆動パルスに基づいてトナー搬送部材３１１の回転数を取得し、当該トナー搬送部材３１１の回転数とトナー搬送部材３１１が１回転するときに搬送されるトナーの量とを乗算することにより、トナー補給機構３０２がトナー容器３０１から現像器２０５に補給したトナー量を算出する。当該トナー補給量は各色について算出される。また、トナー補給量演算部６０２は、ドットカウント演算部６０１と同様に、予め指定された補正トナー補給量算出タイミングが到来するまで、算出したトナー補給量を累積して保持する。そして、補正トナー補給量算出タイミングが到来したときに、補正トナー補給量算出部６０４の指示に応じてその時点まで累積したトナー補給量をリセット（ゼロにする）する。
【００４７】
累積トナー補給量保持部６０３は、トナー容器３０１内のトナーの使用を開始した時点からのトナーの累積補給量を保持する。特に限定されないが、本実施形態では、ＨＤＤ５０４が累積トナー補給量保持部６０３として機能する。
【００４８】
補正トナー補給量算出部６０４は、ドットカウント演算部が算出したトナー消費量と、トナー補給量演算部が算出したトナー補給量とに基づいて、トナー容器内のトナー使用量である補正トナー補給量を算出する。補正トナー補給量算出部６０４による補正トナー補給量の算出は、上述の補正トナー補給量算出タイミングに実施される。
【００４９】
特に限定されないが、本実施形態では、以下で詳述するように、補正トナー補給量算出部６０４は、同一期間においてドットカウント演算部６０１が算出したトナー消費量（累積値）およびトナー補給量演算部６０２が算出したトナー補給量（累積値）と、当該期間に累積トナー補給量保持部６０３に保持された累積トナー補給量から算出されるトナー容器３０１内のトナー残量とに基づいて、当該期間における補正トナー補給量を算出する。また、本実施形態では、トナー補給機構３０２の動作によりトナー容器３０１から現像器２０５内に補給されたトナー量をより正確に算出するために、トナー補給量演算部６０２は、上記期間内におけるトナー補給機構３０２の動作量（ここでは回転数）だけでなく、トナーセンサ４１０の出力値に基づいてトナー補給機構３０２が現像器２０５に補給したトナー量を算出する構成を採用している（後述する）。
【００５０】
累積トナー補給量更新部６０５は、補正トナー補給量算出部６０４が算出した補正トナー補給量と累積トナー補給量保持部６０３に保持された累積トナー補給量とを加算することにより算出される値を、新たな累積トナー補給量として累積トナー補給量保持部６０３に格納する。
【００５１】
図７は、複合機が実行する補正トナー補給量算出手順の一例を示すフロー図である。当該手順は、例えば、複合機１００に印刷ジョブが入力される等により、画像形成部１４０において印刷処理が開始されたことをトリガとして開始する。
【００５２】
当該手順が開始すると、ドットカウント演算部６０１は、露光用画像データ入力部６１１において画像データが生成される（あるいは、露光用画像データ入力部６１１から画像データが出力される）まで待機する（ステップＳ７０１Ｎｏ）。ドットカウント演算部６０１は、印刷対象の画像データを検知すると、ドットカウントに基づくトナー消費量Ｃｄｏｔを算出する（ステップＳ７０１Ｙｅｓ、Ｓ７０２）。上述のように、算出されたトナー消費量Ｃｄｏｔは、補正トナー補給量算出タイミング到来まで累積される（ステップＳ７０３Ｎｏ、Ｓ７０１Ｙｅｓ、Ｓ７０２）。
【００５３】
当該状態において、印刷枚数が予め指定された枚数、あるいは全印刷が完了して補正トナー補給量算出タイミングが到来すると、補正トナー補給量算出部６０４は、ドットカウント演算部６０１からトナー消費量Ｃｄｏｔ（先のリセットから補正トナー補給量算出タイミング到来までの累積値）を取得し、累積トナー補給量保持部６０３から累積トナー補給量Ｓａｃｃを取得し、トナー補給量演算部６０２からトナー補給量Ｓｃａｌ（先のリセットから補正トナー補給量算出タイミング到来までの累積値）を取得する（ステップＳ７０３Ｙｅｓ、Ｓ７０４、Ｓ７０５、Ｓ７０６）。
【００５４】
ここで、トナー補給量演算部６０２によるトナー補給量Ｓｃａｌの算出について説明する。図８は、トナー補給量演算部６０２が実行するトナー補給量算出手順の一例を示すフロー図である。当該手順は、例えば、画像形成部１４０において印刷処理が開始されたことをトリガとして開始する。
【００５５】
当該手順が開始すると、トナー補給機構３０２は、所定のサンプリング周期（例えば、撹拌スクリュー４０３、４０４の１回転周期）でトナーセンサ４１０の出力値を取得する（ステップＳ８０１）。そして、取得したトナーセンサ４１０の出力値と予め指定された基準値と比較し、トナーの補給が必要であるか否かを判定する（ステップＳ８０２）。特に限定されないが、本実施形態では、トナーセンサ４１０の出力値の出力範囲が０から１０２３の１０２４段階に区分されており、基準値として５１２が設定されている。また、本実施形態では、上述のように、トナーセンサ４１０として光学センサを採用しているため、トナーセンサ４１０の出力値が基準値５１２よりも大きい場合、トナー補給機構３０２は、シャッター部材３０４を開放状態にしてトナー補給を開始する（ステップＳ８０２Ｙｅｓ）。このとき、トナー補給量演算部６０２は、上述のように、駆動モータ３１２に入力される駆動パルス数に基づいて現像器２０５に補給されたトナー量を算出する。上述のように、算出されたトナー補給量は、補正トナー補給量算出タイミング到来まで累積される（ステップＳ８０３、Ｓ８０４Ｎｏ、Ｓ８０１、Ｓ８０２Ｙｅｓ）。また、本実施形態では、トナー補給機構３０２は、取得したトナーセンサ４１０の出力値をトナー補給量演算部６０２に入力する構成になっている。なお、トナーセンサ４１０の出力値が基準値以下である場合、トナー補給機構３０２は、シャッター部材３０４を閉鎖状態に維持する（ステップＳ８０２Ｎｏ）。
【００５６】
当該状態において、印刷枚数が予め指定された枚数、あるいは全印刷が完了して補正トナー補給量算出タイミングが到来すると、トナー補給量演算部６０２は、累積トナー補給量保持部６０３から累積トナー補給量Ｓａｃｃを取得し、トナー補給量Ｓｃａｌを算出する（ステップＳ８０４Ｙｅｓ、Ｓ８０５、Ｓ８０６）。本実施形態では、トナー補給量Ｓｃａｌは下記の式（１）により算出される。なお、式（１）において、Ｓ１は、先のリセットから補正トナー補給量算出タイミング到来までの駆動モータ３１２に入力される駆動パルス数に基づくトナー補給量の累積値である。また、Ｘは、トナーセンサによるトナー補給の補正値であり、Ｘ＝Ｋ×（トナーセンサ基準値−トナーセンサ出力値の平均値）で表現される。
【００５７】
Ｓｃａｌ＝Ｂ×Ｓ１＋Ｘ      （１）
【００５８】
ここで、係数Ｂは、トナー容器３０１中のトナー残量に応じて決定される係数である。なお、トナー容器３０１中のトナー残量は、トナーコンテナ２３０の設置時にトナー容器３０１に収容されていた当初トナー量から、累積トナー補給量保持部６０３から取得した累積トナー補給量Ｓａｃｃを減算することで容易に算出可能である。トナー容器３０１中のトナー残量が減少すると、トナー残量が初期の状態にある場合と比べて、トナー搬送部材３１１の回転に応じて補給口３０３から現像器２０５へ落下するトナーの量が減少する傾向にある。当該係数Ｂは、当該傾向をトナー補給量の算出に反映させるために、トナー容器３０１中のトナー残量に応じて変更する可変係数（０＜Ｂ≦１）になっている。特に限定されないが、本実施形態では、係数Ｂは予めトナー補給量演算部６０２に登録されている。
【００５９】
図９は、トナー補給量演算部６０２が保持する係数テーブルの一例を示す図である。図９に示すように、係数テーブル９０１には、トナー残量と係数Ｂの値とが対応づけて格納されている。図９の例では、トナー残量が８０％より大きく１００％以下である場合Ｂ＝１である。これは、トナー残量が初期の状態に近い場合、トナーは、トナー搬送部材３１１の回転数に比例して計算どおりの量が補給口３０３から現像器２０５へ落下することを示している。また、トナー残量が０％より大きく５％以下である場合Ｂ＝０．５である。これは、トナー残量が極めて少ない状態である場合、トナー搬送部材３１１の回転数が同一であっても、トナーは、トナー残量が初期の状態に近い場合の１／２程度しか現像器２０５へ落下しないことを示している。なお、図９に示す例では、０．５≦Ｂ≦１となっているが、係数Ｂは０＜Ｂ≦１の範囲内から適宜選択することができる。
【００６０】
先のリセットから補正トナー補給量算出タイミング到来までの間、トナーセンサ４１０の出力値が基準値に確実に維持されているのであれば、係数Ｂと駆動パルス数に基づくトナー補給量の累積値Ｓ１との積をトナー補給量Ｓｃａｌとしても問題はない。しかしながら、現実には、トナーセンサ４１０の出力値が基準値以下の状態（トナー量が多い状態）になっていたり、基準値以上（トナー量が少ない状態）になっていたりする状況が発生し得る。そこで、本実施形態では、式（１）に示すように、トナー補給量演算部６０２は、先のリセットから補正トナー補給量算出タイミング到来までの間に取得されたトナーセンサ４１０の出力値の平均値を算出し、トナーセンサ４１０の基準値との差分を算出している。そして、当該差分に応じたトナー量（上記補正値Ｘ）をＢ×Ｓ１から加減することでトナー補給量Ｓｃａｌを算出している。なお、上記補正値Ｘにおける係数Ｋはトナーセンサ基準値とトナーセンサ出力値の平均値との差をトナー量に変換するための係数である。
【００６１】
図１０は、トナー補給機構３０２のトナーセンサ出力値と回転数とトナー補給量との関係を示す図である。図１０の表１００１に示すように、本実施形態におけるトナー補給機構３０２では、トナーセンサ４１０の出力値が基準値から「２５」大きくなるごとにトナー搬送部材３１１を０．７回転させる構成になっている。また、この０．７回転は、計算上、１６ｍｇのトナー量に相当する。この関係から、本実施形態では、係数Ｋ＝１６／２５としている。
【００６２】
なお、上述の係数Ｂ、Ｋの値は、実機を使用して実験的に求めればよい。
【００６３】
以上のようにしてトナー補給量Ｓｃａｌを算出したトナー補給量演算部６０２は、算出したトナー補給量Ｓｃａｌを補正トナー補給量算出部６０４に入力する。このとき、補正トナー補給量算出部６０４は、トナー補給量演算部６０２に累積値のリセットを指示する。当該指示に応じて、トナー補給量演算部６０２は、トナー補給量の累積値をリセットする（ステップＳ８０７）。
【００６４】
なお、当該補正トナー補給量算出タイミングが印刷完了時であれば、手順が終了する（ステップＳ８０８Ｙｅｓ）。また、当該補正トナー補給量算出タイミングが所定印刷枚数到達時であれば、印刷完了まで上述の手順が繰り返される（ステップＳ８０８Ｎｏ、Ｓ８０１）。
【００６５】
一方、トナー補給量演算部６０２からトナー補給量Ｓｃａｌを取得した補正トナー補給量算出部６０４は、ドットカウント演算部６０１から取得したトナー消費量Ｃｄｏｔ、累積トナー補給量保持部６０３から取得した累積トナー補給量Ｓａｃｃを使用して、補正トナー補給量Ｓｃｏｒを算出する（ステップＳ７０７）。補正トナー補給量Ｓｃｏｒは、下記の式（２）により算出される。
【００６６】
Ｓｃｏｒ＝Ｃｄｏｔ−（Ｃｄｏｔ−Ｓｃａｌ）×Ａ      （２）
【００６７】
ここで、係数Ａは、トナー容器３０１中のトナー残量に応じて決定される係数である。なお、トナー容器３０１中のトナー残量は、トナーコンテナ２３０の設置時にトナー容器３０１に収容されていた当初トナー量から、累積トナー補給量保持部６０３から取得した累積トナー補給量Ｓａｃｃを減算することで容易に算出可能である。上述のように、トナー容器３０１中のトナー残量が減少すると、トナー残量が初期の状態にある場合と比べて、トナー搬送部材３１１の回転に応じて補給口３０３から現像器２０５へ落下するトナーの量が減少する傾向にある。すなわち、トナー残量が初期の状態にある場合、現実のトナー補給量とドットカウントに基づくトナー消費量との乖離は比較的小さいが、トナー容器３０１中のトナー残量が減少すると、現実のトナー補給量とドットカウントに基づくトナー消費量との乖離が大きくなる。当該係数Ａは、当該傾向を反映させるための係数であり、トナー補給量演算部６０２が算出したトナー補給量Ｓｃａｌが補正トナー補給量に与える影響の程度を、上記トナー残量に応じて変更する可変係数（０＜Ａ≦１）になっている。特に限定されないが、本実施形態では、係数Ａは予め補正トナー補給量算出部６０４に登録されている。
【００６８】
図１１は、補正トナー補給量算出部６０４が保持する係数テーブルの一例を示す図である。図１１に示すように、係数テーブル１１０１には、トナー残量と係数Ａの値とが対応づけて格納されている。図１１の例では、トナー残量が６０％より大きく１００％以下である場合Ａ＝０．５である。トナー残量が１０％より大きく６０％以下である場合Ａ＝０．８である。トナー残量が０％より大きく１０％以下である場合Ａ＝１である。例えば、Ａ＝１の場合、式（２）では、補正トナー補給量Ｓｃｏｒ＝トナー補給量Ｓｃａｌとなる。すなわち、本実施形態では、トナー残量が少なくなるほど補正トナー補給量Ｓｃｏｒの算出にトナー補給量Ｓｃａｌが与える影響を大きくすることで、従来のドットカウント方式のトナー消費量算出のみでは困難であったトナー容器３０１内のトナー残量の正確な把握を可能にしている。また、トナー残量が多い状態でもトナー容器３０１内のトナー残量をより正確に把握することができる。なお、上述の係数Ａの値は、実機を使用して実験的に求めればよい。また、図１１に示す例では、０．５≦Ａ≦１となっているが、係数Ａは０＜Ａ≦１の範囲内から適宜選択することができる。
【００６９】
以上のようにして、補正トナー補給量Ｓｃｏｒを算出した補正トナー補給量算出部６０４は、算出した補正トナー補給量Ｓｃｏｒを、累積トナー補給量更新部６０５に通知する。当該通知を受けた累積トナー補給量更新部６０５は、通知された補正トナー補給量Ｓｃｏｒと累積トナー補給量保持部６０３に保持された累積トナー補給量Ｓａｃｃとを加算することにより算出される値を、新たな累積トナー補給量として累積トナー補給量保持部６０３に格納する（ステップＳ７０８）。また、このとき、補正トナー補給量算出部６０４は、ドットカウント演算部６０１に累積値のリセットを指示する。当該指示に応じて、ドットカウント演算部６０１は、トナー消費量の累積値をリセットする（ステップＳ７０９）。
【００７０】
なお、以上の補正トナー補給量算出タイミングが印刷完了時であれば、手順が終了する（ステップＳ７１０Ｙｅｓ）。また、当該補正トナー補給量算出タイミングが所定印刷枚数到達時であれば、印刷完了まで上述の手順が繰り返される（ステップＳ７１０Ｎｏ、Ｓ７０１）。
【００７１】
以上説明したように、複合機１００では、ドットカウント方式により算出したトナー消費量Ｃｄｏｔと、別途算出したトナー補給量Ｓとに基づいて、トナー容器内のトナー使用量（補正トナー補給量Ｓｃｏｒ）を求める構成であるため、トナー容器３０１から現像器２０５へのトナー補給量をより正確に求めることができる。また、複合機１００は、補正トナー補給量の算出に、トナー残量の依存性を反映させる構成であるため、トナー残量を正確に把握できることの効果が相乗的に発揮されることになる。したがって、各係数Ａ、Ｂ、Ｋを適切に合わせ込むことで、トナー容器３０１内のトナー残量を従来に比べてより正確に把握することができる。その結果、ユーザは、トナー資源を有効に利用することができるとともに、画像形成装置の生産性を低下させることなく、適切な時期にトナー容器の交換を実行できる。
【００７２】
加えて、上述のトナー残量管理は、トナー容器３０１等に新たなセンサ等を設置する必要がない。そのため、ドットカウント方式でトナー消費量を算出する既存の複合機に対して、例えば、ソフトウェアの変更等により、トナー補給量演算部、補正トナー補給量算出部、累積トナー補給量更新部等を付加することで容易かつ低コストで実現することもできる。
【００７３】
なお、上述した実施形態は本発明の技術的範囲を制限するものではなく、既に記載したもの以外でも、本発明の範囲内で種々の変形や応用が可能である。例えば、上記実施形態では、いわゆるタンデム方式の複合機に適用した事例を例示したが、ロータリー方式の複合機に適用してもよい。また、カラー複合機に限らず、モノクロ複合機に適用することもできる。さらに、トナー補給機構も上述の構成に限定されるものではなく、任意の構成を採用することができる。
【００７４】
また、上記では、特に好ましい形態として、式（１）および式（２）により補正トナー補給量を算出する構成としたが、本発明はこれらの式の使用のみに限定されるものではない。上述のように、トナー容器内のトナー量が減少したときには、ドットカウント方式で算出されるトナー消費量よりもトナー補給機構の動作に基づいて演算により求めたトナー補給量の方が現実のトナー消費量をより反映できる。そのため、少なくとも、トナー量が減少したときにトナー補給量を使用して補正トナー補給量を求める構成であれば、従来に比べて、より正確にトナー残量を把握することが可能になる。この場合、トナー補給量の取得方法は特に限定されない。
【００７５】
さらに、図７、図８に示したフローチャートは、等価な作用を奏する範囲において、各ステップの順序を適宜変更可能である。
【００７６】
加えて、上述の実施形態では、デジタル複合機として本発明を具体化したが、デジタル複合機に限らず、ファクシミリ、複写機等任意の画像形成装置に本発明を適用することも可能である。
【産業上の利用可能性】
【００７７】
本発明によれば、トナー容器内のトナー残量を従来に比べてより正確に把握することができ、画像形成装置およびトナー残量管理方法として有用である。
【符号の説明】
【００７８】
１００  複合機
１４０  画像形成部
２０１Ｃ、２０１Ｍ、２０１Ｙ、２０１Ｋ  画像形成ユニット
２０５  現像器
２３０、２３０Ｃ、２３０Ｍ、２３０Ｙ、２３０Ｋ  トナー容器
３０２  トナー補給機構
３０４  シャッター部材
３１１  トナー搬送部材
３１２  駆動モータ
４１０  トナーセンサ
６０１  ドットカウント演算部
６０２  トナー補給量演算部
６０３  累積トナー補給量保持部
６０４  補正トナー補給量算出部
６０５  累積トナー補給量更新部
【図１】
2014098791.tif 000003
【図２】
2014098791.tif 000004
【図３】
2014098791.tif 000005
【図４】
2014098791.tif 000006
【図５】
2014098791.tif 000007
【図６】
2014098791.tif 000008
【図７】
2014098791.tif 000009
【図８】
2014098791.tif 000010
【図９】
2014098791.tif 000011
【図１０】
2014098791.tif 000012
【図１１】
2014098791.tif 000013